(57)【要約】【課題】一度の草刈作業で、広範囲の幅の草を容易に刈ることができる、草刈機を提供する。【解決手段】所定の距離を離して設けられた一対の持ち手部３、３と、一対の持ち手部の間に設けられた草刈刃４と、草刈刃４を駆動する駆動手段５とを備える。【選択図】図１
2008136378.tif 000002
【特許請求の範囲】
【請求項１】
所定の距離を離して設けられた一対の持ち手部と、
前記一対の持ち手部の間に設けられた草刈刃と、
前記草刈刃を駆動する駆動手段とを備える、草刈機。
【請求項２】
前記草刈刃が、往復動刃である、請求項１に記載の草刈機。
【請求項３】
前記一対の持ち手部の間の、前記草刈刃の上方位置に、送風手段を更に備える、請求項１又は請求項２に記載の草刈機。
【請求項４】
前記送風手段が、
前記一対の持ち手部の間の、前記草刈刃の上方位置に設けられ、その長さ方向に複数の孔を有するパイプ手段と、
前記パイプ手段に、空気を送風する空気源とを備える、請求項３に記載の草刈機。
【請求項５】
前記空気源が、前記駆動手段を駆動することで駆動する、請求項４に記載の草刈機。
【請求項６】
前記一対の持ち手部の間の、前記草刈刃の両端の各々の下方位置に、移動手段を更に備える、請求項１〜５のいずれかに記載の草刈機。
【請求項７】
前記一対の移動手段の各々が、摺動手段である、請求項６に記載の草刈機。
【発明の詳細な説明】
【技術分野】
【０００１】
本発明は、草刈機に関し、特に、一度の草刈作業で、広範囲の幅の草を容易に刈ることができるようにした草刈機に関する。
【背景技術】
【０００２】
図９は、従来の草刈機の一例を、一部を破断した側面図であり、また、図１０は、図９に示す従来の草刈機の草刈刃及びその周辺を拡大して概略的に示す平面図である。
【０００３】
この草刈機１０１は、軸部１０２と、軸部１０２の途中の位置に設けられた持ち手部１０３と、軸部１０２の先端部ｅ１０２ａに回転可能に設けられた回転刃１０４と、軸部１０２の後端部ｅ１０２ｂに設けられ、回転刃１０２を回転駆動させる駆動手段１０５とを備える。
【０００４】
尚、図９中、１０６で示す部材は、駆動手段１０５を駆動した際の動力を、回転刃１０４に伝える内装軸を示している。
【０００５】
この草刈機１０１は、持ち手部１０３に取り付けられている駆動手段１０５の駆動ボタンを押し操作すれば、駆動手段１０５が駆動し、これにより、回転刃１０４が回転駆動するようになっている。
【０００６】
この草刈機１０１を用いて、作業者が、草刈作業をする際には、作業者が、持ち手部１０３を持って、持ち手部１０３に取り付けられている駆動手段１０５の駆動ボタンを押し操作し、回転刃１０４を回転駆動させて、回転刃１０４により草刈を行う。
【０００７】
図１１は、従来の草刈機の他の一例を概略的に示す斜視図である。
【０００８】
この草刈機２０１は、草刈機１０１とは、以下の構成を除けば同様の構成であるので、草刈機２０１の構成部材中、草刈機１０１の構成部材に相当する構成部材については、草刈機１０１の構成部材に付した符号に相当する符号を付して、その説明を省略する。
【０００９】
この草刈機２０１は、回転刃１０４に代えて、無端回動式草刈刃２０４を設けている構成が、草刈機１０１と特に異なっている。
【００１０】
無端回動式草刈刃２０４は、駆動プーリ２０５と、受動プーリ２０６と、駆動プーリ２０５と受動プーリ２０６との間に掛け回すように設けられたベルト手段２０７と、ベルト手段２０７の外側の面に設けられた複数の刈刃２０８・・・とを備える。
【００１１】
この草刈機2０１は、持ち手部１０３に取り付けられている駆動手段１０５のスタータ（又は駆動レバー）（図示せず。）を用いて駆動手段１０５を駆動すれば、これにより、駆動プーリ２０５が回転し、ベルト手段２０７を介して受動プーリ２０６が回転し、ベルト手段２０７の回転によりベルト手段２０７の外側の面に設けられた複数の刈刃２０８・・・が回転するようになっている。
【００１２】
尚、図１１中、符号２０９で示す部材及び符号２１０で示す部材の各々は、車輪を示している。
【００１３】
この草刈機２０１を用いて、作業者が、草刈作業をする際には、作業者が、持ち手部１０３を持って、持ち手部１０３に取り付けられている駆動手段１０５の駆動ボタンを押し操作し、無端回動式草刈刃２０４を回転駆動させて、無端回動式草刈刃２０４により草刈を行う。
【００１４】
草刈機１０１は、草を刈る手段として、回転刃１０４を用いているので、草を刈る幅は、最大でも回転刃１０４の直径程度であるために、一度の作業で広範囲の幅の草刈作業ができない、という問題がある。
【００１５】
また、草刈機２０１は、草を刈る手段として、無端回動式草刈刃２０４を用いているので、草を刈る幅は、駆動プーリ２０５と受動プーリ２０６との間隔程度まで可能となるので、草刈機１０１に比べ、一度の作業で広範囲の幅の草刈作業ができる。
【特許文献１】実開昭６１−１８２２２６号公報
【特許文献２】特開平３−４７１５号公報
【発明の開示】
【発明が解決しようとする課題】
【００１６】
しかしながら、上記した、従来の草刈機１０１及び従来の草刈機２０１は、一人用の草刈機であるため、回転刃１０４として直径の大きいものや、無端回動式草刈刃２０４の駆動プーリ２０５と受動プーリ２０６との間隔を広くした、幅の広いものを用いると、作業者が、草刈作業を行うために、草刈機１０１の回転刃１０４や、草刈機２０１の無端回動式草刈刃２０４を回転駆動した際に、作業者が、回転駆動している回転刃１０４や、回転駆動している無端回動式草刈刃２０４の、草を刈る位置の位置決めや、草を刈る高さ位置の調整に手間取り、却って、草刈作業の効率が悪くなる、という問題がある。
【００１７】
また、従来の草刈機１０１として、回転刃１０４として直径の大きいものや、従来の草刈機２０１として、無端回動式草刈刃２０４の駆動プーリ２０５と受動プーリ２０６との間隔を広くしたものを用いた場合には、刈り取った草、木、根等が、回転刃１０４や、無端回動式草刈刃２０４にまとわり付く等し、結果として、草刈機１０１、２０１の草刈作業の効率が却って悪くなる、という問題がある。
【００１８】
また、草刈機２０１の無端回動式草刈刃２０４は、草を刈る前方位置の刃で草を刈っており、後方側は、草を刈る作業を行っていないが、動力伝達のためには、ベルト手段２０７を、駆動プーリ２０５と受動プーリ２０６との間に掛け回すように設ける必要があり、無端回動式草刈刃２０４は、草を刈る前方位置の側以外に、動力伝達のための後方側を必要とし、その大きさが大きくなる、という問題や、駆動プーリ２０５とベルト手段２０７との接続部や、受動プーリ２０６とベルト手段２０７との接続部に、草等が挟まり易い、といった問題がある。
【００１９】
また、草刈機２０１は、作業者の操作性を高めるために、草刈機２０１の下方位置に車輪２０９、２１０を設けているが、草等の丈が高いような場合や、草等が密生しているような場合に、車輪２０９、２１０に草等が挟まり車輪２０８、２０９が動かなくなる、といったような問題もある。
【００２０】
本発明は、以上の問題を解決するためになされたものであって、従来の草刈機に比べ、一度の作業で広範囲の幅の草刈作業が容易にできるようにした草刈機を提供することを目的としている。
【課題を解決するための手段】
【００２１】
請求項１に記載の草刈機は、  所定の距離を離して設けられた一対の持ち手部と、一対の持ち手部の間に設けられた草刈刃と、草刈刃を駆動する駆動手段とを備える。
【００２２】
請求項２に記載の草刈機は、請求項１に記載の草刈機の、草刈刃が、往復動刃である。
【００２３】
請求項３に記載の草刈機は、請求項１又は請求項２に記載の草刈機が、一対の持ち手部の間の、草刈刃の上方位置に、送風手段を更に備える。
【００２４】
請求項４に記載の草刈機は、請求項３に記載の草刈機の、送風手段が、一対の持ち手部の間の、草刈刃の上方位置に設けられ、その長さ方向に複数の孔を有するパイプ手段と、パイプ手段に、空気を送風する空気源とを備える。
【００２５】
請求項５に記載の草刈機は、請求項４に記載の草刈機の、空気源が、駆動手段を駆動することで駆動する。
【００２６】
請求項６に記載の草刈機は、請求項１〜５のいずれかに記載の草刈機が、一対の持ち手部の間の、草刈刃の両端の各々の下方位置に、移動手段を更に備える。
【００２７】
請求項７に記載の草刈機は、請求項６に記載の草刈機の、一対の移動手段の各々が、摺動手段である。
【発明の効果】
【００２８】
請求項１に記載の草刈機は、所定の距離を離して設けられた一対の持ち手部を備え、二人の作業者により草刈ができるようにしているので、この草刈機では、草刈刃の幅を、一人用の草刈機に比べ幅広にすることができる。
【００２９】
即ち、この草刈機は、草刈刃の幅を広くしても、二人の作業者で草刈作業をしているので、駆動している草刈刃の、草を刈る位置の位置決めや、草を刈る高さ位置の調整が容易にできる。
【００３０】
この結果、この草刈機を用いれば、従来の草刈機に比べ、作業効率の良い、草刈作業ができる。
【００３１】
請求項２に記載の草刈機では、草刈刃を、往復動刃にしているので、その大きさを、無端回動式草刈刃を用いた場合に比べ、小型化、軽量化でき、且つ、草等が挟みこまれ、草刈刃が動かなくなる、といった事態が生じるのを減少できるので、この草刈機を用いれば、効率良く、草刈作業が行える。
【００３２】
請求項３に記載の草刈機では、草刈刃の上方位置に、送風手段を設けている。
【００３３】
即ち、この草刈機では、草刈作業を行う際に、送風手段を駆動することで、草刈刃によって刈り取られた草等を、草刈刃の近傍から吹き飛ばすことができる。
【００３４】
この結果、この草刈機では、草刈作業の最中に、草刈刃によって刈り取られた草等が草刈刃に挟みこまれ、草刈刃が動かなくなる、といった事態が生じるのを減少できるので、この草刈機を用いれば、効率良く、草刈作業が行える。
【００３５】
請求項４に記載の草刈機では、草刈刃の上方位置に、その長さ方向に複数の孔を有するパイプ手段を設け、送風手段を駆動した際に、草刈刃の全体に、空気を送風できるようにしている。
【００３６】
即ち、この草刈機では、草刈作業を行う際に、送風手段を駆動することで、草刈刃によって刈り取られた草等を、草刈刃の全体に亘って、その近傍から吹き飛ばすことができる。
【００３７】
この結果、この草刈機では、草刈作業の最中に、草刈刃によって刈り取られた草等が草刈刃の一部に挟みこまれ、草刈刃が動かなくなる、といった事態が生じるのを減少できるので、この草刈機を用いれば、効率良く、草刈作業が行える。
【００３８】
請求項５に記載の草刈機では、送風手段を構成する空気源が、駆動手段を駆動することで駆動するようにしているので、草刈作業を行う際に、草刈刃を駆動すれば、必ず、送風手段によって刈り取られた草等が、草刈刃の近傍から吹き飛ばされる。
【００３９】
この結果、この草刈機では、草刈作業の最中に、草刈刃によって刈り取られた草等が草刈刃に挟みこまれ、草刈刃が動かなくなる、といった事態が生じるのを減少できるので、この草刈機を用いれば、効率良く、草刈作業が行える。
【００４０】
請求項６に記載の草刈機では、一対の持ち手部の間の、草刈刃の両端の各々の下方位置に、移動手段を設けたので、作業者が草刈機の移動を楽に行うことができる。
【００４１】
即ち、この草刈機は、作業者が草刈機の移動を楽に行うことができるので、この草刈機を用いれば、効率良く、草刈作業が行える。
【００４２】
請求項７に記載の草刈機では、一対の移動手段の各々を、摺動手段にしているので、作業者が、この草刈機を用いて草刈作業を行う際に、草刈機を、草を刈る地面に対し、草刈機を引きずるようにして、移動させるだけで良い。
【００４３】
即ち、この草刈機は、作業者が草刈機の移動を楽に行うことができるので、この草刈機を用いれば、効率良く、草刈作業が行える。
【００４４】
また、この草刈機は、移動手段が摺動手段であるので、移動手段が、車輪である草刈機のように、車輪に草等が挟まり車輪が動かなくなる、といったような問題が生じない。
【発明を実施するための最良の形態】
【００４５】
以下、本発明に係る草刈機の一例を図面を参照しながら更に詳しく説明する。
【００４６】
図１は、本発明に係る草刈機の一例を概略的に説明する正面図であり、図２は、図１に示す草刈機の概略的な背面図であり、図３は、図１に示す草刈機の概略的な平面図であり、図４は、図１に示す草刈機の概略的な底面図であり、図５は、図１に示す草刈機の概略的な左側面図であり、また、図６は、図１に示す草刈機の概略的な右側面図である。
【００４７】
この草刈機１は、  所定の長さを有するフレーム部材２と、所定の長さを有するフレーム部材２により、所定の距離を離して設けられた一対の持ち手部３、３と、一対の持ち手部３、３の間に設けられた草刈刃４と、草刈刃４を駆動する駆動手段５とを備える。
【００４８】
一対の持ち手部３、３の各々は、フレーム部材２の両端部ｅ２、ｅ２の各々に、枢着手段６、６の各々によって、回転可能に且つ角度調整が可能なように取り付けられている。
【００４９】
また、一対の持ち手部３、３の各々は、その長さが調整できるようにされている。
【００５０】
即ち、一対の持ち手部３、３の各々は、下部パイプ体３ａと、下部パイプ体３ａの中空に挿入可能な上部パイプ体３ｂと、高さ調整手段３ｃとを備える。
【００５１】
一対の持ち手部３、３の各々は、高さ調整手段３ｃを緩めると、下部パイプ体３ａに対し、上部パイプ体３ｂが、下部パイプ体３ａの中空に対し、自由に上下方向に動かすことができるようになっており、高さ調整手段３ｃを締め付けると、下部パイプ体３ａに対し、上部パイプ体３ｂが、固定されるようになっている。
【００５２】
尚、この草刈機１では、駆動手段５として、駆動手段本体（この例では、エンジン）５ｂと、駆動手段本体（この例では、エンジン）５ｂを駆動するための燃料を収容する燃料タンク５ａとを備えるものを用いている。
【００５３】
また、この草刈機１は、フレーム部材２の両端部の各々の下方位置に、一対の脚部７、７を備える。
【００５４】
また、一対の脚部７、７の各々の下端には、摺動手段８、８が設けられている。
【００５５】
この例では、摺動手段８、８の各々として、ソリ（又は、スキーボード）を採用している。
【００５６】
草刈刃４は、摺動手段８、８の各々が設けられている位置より少し高い位置に、一対の脚部７、７の間に設けられている。
【００５７】
また、符号４ａで示す部材は、草刈刃４を覆うカバー体を示している。
【００５８】
カバー体４ａは、脚部７及び脚部７の各々の下方位置に、脚部７と脚部７との間に固定的に取り付けられている。
【００５９】
カバー体４ａは、その正面（前方部）Ｆ側に開口部を有している。
【００６０】
そして、草刈刃４は、その先端部が、カバー体４ａの開口部から少し突出するように、カバー体４ａ内に収容されている。
【００６１】
また、この草刈機１では、草刈刃４として、往復動刃を用いている。
【００６２】
図７は、草刈刃４の構成の一部を概略的に示す分解斜視図であり、図７（ａ）は、草刈刃４の駆動側を概略的に示す分解斜視図であり、また、図７（ｂ）は、草刈刃４の受動側を概略的に示す分解斜視図である。
【００６３】
尚、図７（ａ）及び図７（ｂ）中では、カバー体４ａについては、説明を容易とするために、図示するのを省略する。
【００６４】
この草刈刃４は、固定刃４１と、左右に移動可能に設けられた往復動刃４２とを備える。
【００６５】
固定刃４１は、カバー体（図１に示すカバー体４ａ）内に、脚部７と脚部７との間に橋渡すように、固定的に、設けられている。
【００６６】
往復動刃４２は、固定刃４１の上に、重ねられるように設けられている。
【００６７】
また、往復動刃４２は、カバー体（図１に示すカバー体４ａ）内に、脚部７と脚部７との間に橋渡すように、カバー体４ａによりガイドされることで、脚部７と脚部７との間を往復運動可能なように、設けられている。
【００６８】
往復動刃４２は、図７（ａ）に示すように、その一端部ｅ４２ａにカム機構４３を備える。
【００６９】
また、往復動刃４２は、図７（ｂ）に示すように、その他端部ｅ４２ｂが、カバー体（図１に示すカバー体４ａ）の他端部に設けられたガイド部材４７のガイド溝４７ｄに収容されており、往復動刃４２は、ガイド溝４７ｄによりその一端部ｅ４２ｂがガイドされることにより、往復運動ができるようにされている。
【００７０】
この例では、カム機構４３として、図７（ａ）に示す、往復動刃４２の一端部ｅ４２ａ上に設けられ、平面視した場合、長方形形状の枠体４４と、枠体４４内に収容される円盤体４５とを備えるものを用いている。
【００７１】
円盤体４５の偏心軸ａｘ４５には、回転軸４６が取り付けられている。
【００７２】
円盤体４５の長軸径Ｄ４５Ｌは、長方形形状の枠体４４の短辺の幅Ｗ４４に等しいかこれよりやや小さい長さにされている。
【００７３】
また、枠体４４の長辺Ｌ４４は、円盤体４５の長軸径Ｄ４５Ｌに等しいかこれよりやや大きい長さにされている。
【００７４】
回転軸４６は、駆動手段５を構成する駆動手段本体（この例では、エンジン）５ｂをスタータ（又は、駆動レバー）（図示せず。）を用いて駆動した際に、駆動手段本体（この例では、エンジン）５ｂの回転軸の動力が後述するベルト手段（図示せず。）により伝達されるようになっており、駆動手段５を構成する駆動手段本体（この例では、エンジン）５ｂを駆動すると、回転軸４６が回転するようになっている。
【００７５】
回転軸４６が回転することにより、円盤体４５の偏心軸ａｘ４５の長軸ａｘ４５Ｌが、脚部７、７の一方の脚部７側の位置にくると、往復動刃４２は、一対の脚部７、７の一方の脚部７側の方向へ移動し（図７を参照。）、円盤体４５の偏心軸ａｘ４５の長軸ａｘ４５Ｌが、一対の脚部７、７の他方の脚部７側の位置（円盤体４５の偏心軸ａｘ４５の長軸ａｘ４５Ｌが図７に示す位置と反対側の位置（図示せず。））にくると、往復動刃４２は、脚部７、７の他方の脚部７側の方向へ移動するので、回転軸４６の回転運動が、カム機構４３と、カバー体４ａとの協働により、往復動刃４２の一対の脚部７、７間の往復運動に変えられる。
【００７６】
そして、この草刈機１では、草刈作業を行う際に、駆動手段５を駆動すれば、往復動刃４２が一対の脚部７、７間を往復運動するので、２人の作業者の各々が、一対の持ち手部３、３の各々を持って、草刈機１を正面（前方部）Ｆ側に移動させると、固定刃４１と、一対の脚部７、７間を往復運動をしている往復動刃４２との協働により、草等を刈ることができるようになっている。
【００７７】
尚、図７（ａ）中、符号４８で示す部材は、カム機構４３を収容するカム機構収容ケース下体を、符号４９で示す部材は、カム機構４３を収容するカム機構収容ケース上体を示している。
【００７８】
カム機構４３は、カム機構収容ケース上体４９及びカム機構収容ケース下体４８内に収容されており、カム機構収容ケース上体４９及びカム機構収容ケース下体４８内には、潤滑油（グリース）が充填される。
【００７９】
また、図７（ｂ）中、符号５０で示す部材は、草刈刃４の受動側を構成するガイド部材４７を収容する受動側部材収容ケース下体を示している。
【００８０】
尚、図７（ｂ）中、受動側部材収容ケース上体の形状は、カム機構収容ケース上体４９と同様であるので、図示するのを省略する。
【００８１】
ガイド部材４７は、受動側部材収容ケース下体５０内に固定的に設けられ、受動側部材収容ケース上体（図示せず。）及び受動側部材収容ケース下体５０内に収容されており、受動側部材収容ケース上体（図示せず。）及び受動側部材収容ケース下体５０内には、潤滑油（グリース）が充填される。
【００８２】
そして、カバー体（図１に示すカバー体４ａ）の端部には、各々、カム機構収容ケース上体４９及びカム機構収容ケース下体４８、受動側部材収容ケース上体（図示せず。）及び受動側部材収容ケース下体５０が接続され、カム機構収容ケース上体４９及びカム機構収容ケース下体４８、受動側部材収容ケース上体（図示せず。）及び受動側部材収容ケース下体５０の各々は、脚部７、７の各々に固定的に取り付けられている。
【００８３】
また、図１中、符号９で示す部材は、フライホイールカバーを示している。
【００８４】
この例では、フライホイールカバー９として、上側カバー体９ａと、下側カバー体９ｂとを備えるものを用いている。
【００８５】
フライホイールカバー９内には、駆動手段５の駆動手段本体（この例では、エンジン）５ｂのクランク軸（図８に示すクランク軸５ｃを参照。）に取り付けられたフライホイール（図８に示すフライホイール１２を参照。）が収容されている。
【００８６】
この草刈機１では、フライホイール（図８に示すフライホイール１２を参照。）の回転慣性質量によって、駆動手段５の駆動手段本体（この例では、エンジン）５ｂのクランク軸（図８に示すクランク軸５ｃを参照。）の回転エネルギーを吸収・放出し、クランク軸の回転変動を少なくしている。
【００８７】
また、この草刈機１は、一対の持ち手部３、３の間の、草刈刃４の上方位置に、送風手段１０を更に備える。
【００８８】
送風手段１０は、パイプ手段（図１に示すパイプ手段１１）と、パイプ手段１１へ空気を送風する空気源１２とを備える。
【００８９】
パイプ手段１１は、図３に示すように、フライホイールカバー９に、その外周の概ね接線方向となるように、接続されている。
【００９０】
また、パイプ手段１１は、図１に示すように、一対の持ち手部３、３の間に、草刈刃４の上方位置に設けられている。
【００９１】
より特定的に説明すると、パイプ手段１１は、図１に示すように、一対の持ち手部３、３の間に、草刈刃４の前側の刃がカバー体４ａから露出している側の、上方の斜め位置に固定的に設けられている。
【００９２】
そして、パイプ手段１１は、その長さ方向に複数の孔ｈ１１・・・を有する。
【００９３】
この草刈機１では、パイプ手段１１に設けられている複数の孔ｈ１１・・・の各々に、その噴出し口が、草刈刃４の方向を向くようにした、ノズル手段ｎ１１・・・が取り付けられている。
【００９４】
図８は、草刈機１の底面側方向から、フライホイールカバー９の下側カバー体９ｂを外した状態を概略的に示す斜視図である。
【００９５】
この草刈機１では、フライホイール１２を空気源１２として用いている。
【００９６】
即ち、このフライホイール（空気源）１２は、所定の間隔を隔てるようにして設けられた、２枚のフライホイール体１２ａ、１２ａと、２枚のフライホイール体１２ａ、１２ａの間に、２枚のフライホイール体の中心軸から外方向へ放射線状に設けられた、複数の送風ファン１２ｃ・・・とを備える。
【００９７】
尚、図８中、９ａで示す部材は、上側カバー体を示している。
【００９８】
この例では、複数の送風ファン１２ｃ・・・の各々として、フライホイール１２の回転方向に対し凹状に湾曲する形状を有するものを用いている。
【００９９】
この草刈機１では、フライホイール１２を空気源１２として用いている構成を採用したので、駆動手段５の駆動手段本体（この例では、エンジン）５ｂを駆動すれば、空気源１２が駆動する。
【０１００】
従って、この草刈機１は、作業者が草刈作業を行うために、駆動手段５の駆動手段本体（この例では、エンジン）５ｂを駆動すれば、駆動手段５の駆動手段本体（この例では、エンジン）５ｂを駆動している間、常に、草刈刃４に空気を送風できるようになっている。
【０１０１】
また、この草刈機１では、草刈刃４の動作速度を可変にしている。
【０１０２】
図１中、符号１３で示す部材は、草刈刃４の動作速度を変える際に用いる操作レバーを示している。
【０１０３】
駆動手段５の駆動手段本体（この例では、エンジン）５ｂのクランク軸５ｃの先端には、図８に示すように、駆動プーリ５ｄが接続されている。
【０１０４】
図８中、１４は、図７に示す、カム機構４３を構成する回転軸４６の先端に設けられた受動プーリを示している。
【０１０５】
駆動プーリ５ｄと、受動プーリ１４との間には、駆動プーリ５ｄと受動プーリ１４との間に掛け回すようにベルト手段１５が設けられている。
【０１０６】
ベルト手段１５には、弾性体（この例では、バネ）の付勢により、ベルト手段１５を所定の緊張度に保つための回転ローラ１６が押し当てられている。
【０１０７】
また、符号１７で示す部材は、フック手段を示している。
【０１０８】
フック手段１７は、枠部材に回転軸ａｘ１７に、回転可能に取り付けられており、操作レバー１３とフック手段１７との間には、ワイヤー手段１８が設けられている。
【０１０９】
この草刈機１では、操作レバー１３が、ニュートラルの時に、駆動手段５の駆動手段本体（この例では、エンジン）５ｂを駆動すると、駆動手段５の駆動手段本体（この例では、エンジン）５ｂのクランク軸５ｃの先端の駆動プーリ５ｄが回転するが、ベルト手段１５を介して、受動プーリ１４への動力の伝達が行われないようになっているので、操作レバー１３が、ニュートラルの時に、駆動手段５の駆動手段本体（この例では、エンジン）５ｂを駆動しても、草刈刃４は駆動しないようにされている。
【０１１０】
この草刈機１では、作業者が、操作レバー１３を操作（この例では、回動）させると、ワイヤー手段１８を介して、操作レバー１３を操作（この例では、回動）させた分だけ、フック手段１７が、ベルト手段１５に緊張を与える（ベルト手段１５を押し込む）ことで、操作レバー１３を操作（この例では、回動）した量と正の関係で、ベルト手段１５を介して、駆動プーリ５ｄから受動プーリ１４への動力の伝達が行われるようになっている。
【０１１１】
従って、この草刈機１では、作業者が、操作レバー１３を操作（この例では、回動）させると、ワイヤー手段１８を介して、操作レバー１３を操作（この例では、回動）させた分だけ、草刈刃４は駆動量を大きくすることができる。
【０１１２】
次に、この草刈機１の動作を説明する。
【０１１３】
まず、草刈作業を行う際には、駆動手段５の駆動手段本体（この例では、エンジン）５ｂをスタータ（駆動レバー）（図示せず。）により駆動する。この状態では、草刈刃４は動作せず、送風手段１０から、草刈刃４方向への送風が行われる。
【０１１４】
次に、二人の作業者の中、一方の作業者が、操作レバー１３を、所望の量、操作（この例では、回動）させることで、草刈刃４を、所望の速度（駆動量）で駆動させ、二人の作業者の各々が、一対の持ち手部３、３の各々を持って、草刈機１を正面（前方部）Ｆ側に移動させる。
【０１１５】
以上の操作により、概ね、草刈刃４の幅分の草等の刈り取り作業が行える。
【０１１６】
草刈作業を行う際には、作業者が、操作レバー１３をニュートラルに戻し、駆動手段５の駆動手段本体（この例では、エンジン）５を停止させる。
【０１１７】
この草刈機１は、所定の距離を離して設けられた一対の持ち手部３、３を備え、二人の作業者により草刈ができるようにしているので、この草刈機１では、草刈刃４の幅を、一人用の草刈機に比べ幅広にすることができる。
【０１１８】
即ち、この草刈機１は、草刈刃４の幅を広くしても、二人の作業者で草刈作業をしているので、駆動している草刈刃４の、草を刈る位置の位置決めや、草を刈る高さ位置の調整が容易にできる。
【０１１９】
この結果、この草刈機１を用いれば、従来の草刈機に比べ、作業効率の良い、草刈作業ができる。
【０１２０】
また、この草刈機１では、草刈刃４を、往復動刃にしているので、その大きさを、無端回動式草刈刃を用いた場合に比べ、小型化、軽量化でき、且つ、草等が挟みこまれ、草刈刃４が動かなくなる、といった事態が生じるのを減少できるので、この草刈機１を用いれば、効率良く、草刈作業が行える。
【０１２１】
また、この草刈機１では、草刈刃４の上方位置に、送風手段１０を設けている。
【０１２２】
即ち、この草刈機１では、草刈作業を行う際に、送風手段１０を駆動することで、草刈刃４によって刈り取られた草等を、草刈刃４の近傍から吹き飛ばすことができる。
【０１２３】
この結果、この草刈機１では、草刈作業の最中に、草刈刃４によって刈り取られた草等が草刈刃４に挟みこまれ、草刈刃４が動かなくなる、といった事態が生じるのを減少できるので、この草刈機１を用いれば、効率良く、草刈作業が行える。
【０１２４】
また、この草刈機１では、草刈刃４の上方位置に、その長さ方向に複数の孔ｈ１１・・・を有するパイプ手段１１を設け、送風手段１０を駆動した際に、草刈刃４の全体に、空気を送風できるようにしている。
【０１２５】
即ち、この草刈機１では、草刈作業を行う際に、送風手段１０を駆動することで、草刈刃４によって刈り取られた草等を、草刈刃４の全体に亘って、その近傍から吹き飛ばすことができる。
【０１２６】
この結果、この草刈機１では、草刈作業の最中に、草刈刃４によって刈り取られた草等が草刈刃４の一部に挟みこまれ、草刈刃４が動かなくなる、といった事態が生じるのを減少できるので、この草刈機１を用いれば、効率良く、草刈作業が行える。
【０１２７】
また、この草刈機１では、送風手段１０を構成する空気源１２が、駆動手段５を駆動することで駆動するようにしているので、草刈作業を行う際に、草刈刃４を駆動すれば、必ず、送風手段１０によって刈り取られた草等が、草刈刃４の近傍から吹き飛ばされる。
【０１２８】
この結果、この草刈機１では、草刈作業の最中に、草刈刃４によって刈り取られた草等が草刈刃４に挟みこまれ、草刈刃４が動かなくなる、といった事態が生じるのを減少できるので、この草刈機１を用いれば、効率良く、草刈作業が行える。
【０１２９】
また、この草刈機１では、一対の持ち手部３、３の間の、草刈刃４の両端の各々の下方位置に、移動手段８、８を設けたので、作業者が草刈機１の移動を楽に行うことができる。
【０１３０】
即ち、この草刈機１は、作業者が草刈機１の移動を楽に行うことができるので、この草刈機１を用いれば、効率良く、草刈作業が行える。
【０１３１】
また、この草刈機１では、一対の移動手段８、８の各々を、摺動手段にしているので、作業者が、この草刈機１を用いて草刈作業を行う際に、草刈機１を、草を刈る地面に対し、草刈機１を引きずるようにして、移動させるだけで良い。
【０１３２】
即ち、この草刈機１は、作業者が草刈機１の移動を楽に行うことができるので、この草刈機１を用いれば、効率良く、草刈作業が行える。
【０１３３】
また、この草刈機１は、移動手段８、８が摺動手段であるので、移動手段８、８が、車輪である草刈機のように、車輪に草等が挟まり車輪が動かなくなる、といったような問題が生じない。
【０１３４】
また、この草刈機１では、送風手段１０を構成するパイプ手段１１を、一対の持ち手部３、３の間の、草刈刃４の上方位置（より特定的に説明すると、草刈刃４の前側の刃がカバー体４ａから露出している側の、上方の斜め位置）に設けているので、作業者が、一対の持ち手部３、３の間に入った場合に、パイプ手段１１により、作業者が、不用意に又はうっかりして、草刈刃４の刃に接近したり、手足等を、草刈刃４の前側の刃に接触させて、手足等に怪我（損傷）を負うような事故が防げるので、この草刈機１は、安全性に優れている。
【０１３５】
また、この草刈機１では、一対の持ち手部３、３の各々を、枢着手段６、６の各々によって、フレーム部材２の両端部ｅ２、ｅ２の各々に、回転可能に且つ角度調整が可能なように取り付け、また、下部パイプ体３ａ、下部パイプ体３ａの中空に挿入可能な上部パイプ体３ｂ及び高さ調整手段３ｃを備える構成とし、一対の持ち手部３、３の各々の長さ調整ができるようにしているので、例えば、草を刈る場所が傾斜面のような場合であっても、草刈刃４に対する、一対の持ち手部３、３の角度を適宜調整したり、一対の持ち手部３、３の各々の長さを適宜調整することで、草を刈る面（この例では、傾斜面）に対して、草刈刃４の位置や角度を、草を刈る最適な位置や、草を刈る最適な高さに調整（例えば、この例では、草刈刃４を傾斜面から所定の高さ位置に、且つ、傾斜面に対し平行又は概ね平行となるように調整）することで、作業効率の良い、草刈作業ができる。
【０１３６】
尚、上記の発明の実施の形態では、草刈刃４として、固定刃４１と、往復動刃４２とを備えるものについて説明したが、本発明に係る草刈機の草刈刃は、固定刃４１と、往復動刃４２とを備えるものに限定されることはない。
【０１３７】
本発明に係る草刈機の草刈刃は、例えば、２枚の往復動刃４２、４２を備えるものであってもよい。
【０１３８】
即ち、本発明に係る草刈機の草刈刃は、往復動刃４２の下に、もう一枚の往復動刃４２を、そのカム機構４３が、下面に位置するように重ね合わせ、カバー体４ａにより、２枚の往復動刃４２、４２をガイドするようにし、且つ、上側に位置する往復動刃４２用の円盤体４５と、半波長ずれるように下側に位置する往復動刃４２用の円盤体４５の偏心軸に回転軸４６を接続するようにしたものでも良い。
【０１３９】
また、上記した発明の実施の形態では、二人の作業者の各々が、一対の持ち手部３、３の各々を持って、草刈機１を正面（前方部）Ｆ側に移動させることで、草刈作業を行う場合について説明したが、これは、単なる例示であって、この草刈機１は、自動車等の移動手段に、牽引手段を用いて接続し、自動車等の移動手段を走行させることで、草刈機１を正面（前方部）Ｆ側に移動させることで、草刈作業を行うようにしても良い。
【産業上の利用可能性】
【０１４０】
本発明に係る草刈機は、一度の草刈作業で、広範囲の幅の草を容易に刈ることができるので、産業上の利用可能性が高い。
【図面の簡単な説明】
【０１４１】
【図１】本発明に係る草刈機の一例を概略的に説明する正面図である。
【図２】図１に示す草刈機の概略的な背面図である。
【図３】図１に示す草刈機の概略的な平面図である。
【図４】図１に示す草刈機の概略的な底面図である。
【図５】図１に示す草刈機の概略的な左側面図である。
【図６】図１に示す草刈機の概略的な右側面図である。
【図７】本発明に係る草刈機の一例の草刈刃の構成の一部を概略的に示す分解斜視図であり、図７（ａ）は、本発明に係る草刈機の一例の草刈刃の駆動側を概略的に示す分解斜視図であり、また、図７（ｂ）は、本発明に係る草刈機の一例の草刈刃の受動側を概略的に示す分解斜視図である。
【図８】本発明に係る草刈機の底面側方向から、フライホイールカバーの下側カバー体を外した状態を概略的に示す斜視図である。
【図９】従来の草刈機の一例を、一部を破断した側面図である。
【図１０】図９に示す従来の草刈機の草刈刃及びその周辺を拡大して概略的に示す平面図である。
【図１１】従来の草刈機の他の一例を概略的に示す斜視図である。
【符号の説明】
【０１４２】
１  草刈機  
２  フレーム部材
３  持ち手部
４  草刈刃
５  駆動手段
８  摺動手段
１０  送風手段
１１  パイプ手段
１２  空気源  
【図１】
2008136378.tif 000003
【図２】
2008136378.tif 000004
【図３】
2008136378.tif 000005
【図４】
2008136378.tif 000006
【図５】
2008136378.tif 000007
【図６】
2008136378.tif 000008
【図７】
2008136378.tif 000009
【図８】
2008136378.tif 000010
【図９】
2008136378.tif 000011
【図１０】
2008136378.tif 000012
【図１１】
2008136378.tif 000013